【手続補正書】
【提出日】平成20年6月23日(2008.6.23)
【手続補正１】
【補正対象書類名】明細書
【補正対象項目名】００２４
【補正方法】変更
【補正の内容】
【００２４】
（媒体発行装置）
図１は、本発明の使用済み媒体廃棄装置が好ましく装着される媒体発行装置の一例を示す透視側面図である。図１に示す媒体発行装置１は、カード状記録媒体（単に「媒体２」ということがある）を発行する装置であって、装置奥側に配置され、媒体２を図中の上下方向に積層して収納するとともに、積層された媒体２のうち最低位の媒体２ａを１枚毎に繰り出し可能な媒体繰り出し部２１を有するホッパー２０と、媒体２の積層方向に対して鋭角をなす方向へ向けて、媒体繰り出し部２１から繰り出された媒体２を搬送する傾斜搬送路３０と、傾斜搬送路３０の媒体繰り出し部２１とは反対側の一端である手前側上方の対角位置に配置された、媒体２を排出する媒体排出口１０と、傾斜搬送路３０上に設けられ、媒体２に対して所定情報の書き込みを行なう情報書き込み機構（例えば印字装置７０等）と、媒体排出口１０の内側下方に設けられた、廃棄媒体保管カセット５０及び廃棄媒体搬送装置９０を有する使用済み媒体廃棄装置と、を少なくとも備えている。
【手続補正２】
【補正対象書類名】明細書
【補正対象項目名】００２８
【補正方法】変更
【補正の内容】
【００２８】
ホッパー２０は、スタッカ（カセット式媒体収納容器）２５と媒体送り出し機構２２とより構成され、スタッカ２５（カセット式媒体収納容器）と媒体送り出し機構２２との間には媒体繰り出し部２１が形成されている。スタッカ２５（カセット式媒体収納容器）は、媒体２を積層収納する媒体収納容器で、媒体発行装置１の一部としてホッパー２０から着脱可能にカセット式媒体収納容器として設けられている。なお、本実施の形態では、カセット式媒体収納容器２５と示す。このカセット式媒体収納容器２５内には、接触式又は非接触式のＩＣカードや磁気カード等の媒体２が収納される。その媒体２は、後述する媒体排出口１０と略等しい高さの最上位部２７よりも下側に積層して収納されている。なお、そうした媒体２は、利用期限や貨幣価値等の各種情報が完全に記録されていない発行前ものである。また、エンボスの有無は問わない。カセット式媒体収納容器２５の下側には、図１に示すように、ゲート部２３が設けられており、このゲート部２３から、後述する媒体送り出し機構２２によって最低位の媒体２ａが一枚毎送り出される。このゲート部２３は、最低位の媒体２ａを一枚のみ送り出すことができる所定の隙間を設けるように、カセット式媒体収納容器２５の底板とカセット式媒体収納容器２５の側板をなす基準板との間に設けられている。
【手続補正３】
【補正対象書類名】明細書
【補正対象項目名】００２９
【補正方法】変更
【補正の内容】
【００２９】
また、カセット式媒体収納容器２５には、カセット式媒体収納容器２５をホッパー２０から脱着したときにゲート部２３を塞ぐシャッタ２４を有するシャッタ構造（図示しない）が設けられていてもよいし、カセット式媒体収納容器２５内に収容される媒体２を上方から押し下げるように作用するおもり２６が設けられていてもよい。
【手続補正４】
【補正対象書類名】明細書
【補正対象項目名】００３０
【補正方法】変更
【補正の内容】
【００３０】
媒体送り出し機構２２は、ホッパー２０の底部にカセット式媒体収納容器２５と対向して配置され、カセット式媒体収納容器２５内に収容される複数の媒体２のうち最低位に載置された媒体２ａをカセット式媒体収納容器２５（即ちホッパー２０）の外に送り出す装置である。この媒体送り出し機構２２は、カセット式媒体収納容器２５の最低位に載置されたカード状媒体２ａをゲート部２３を経由してカセット式媒体収納容器２５（即ちホッパー２０）の外に押し出す押出部材２２１を備えている。この押出部材２２１には、カード状媒体２ａの後端縁に係合してその媒体２ａを押し出す爪部が形成されていることが好ましい
【手続補正５】
【補正対象書類名】明細書
【補正対象項目名】００７０
【補正方法】変更
【補正の内容】
【００７０】
ここで、廃棄媒体搬送装置９０の作動タイミングについて説明する。廃棄媒体搬送装置９０が第１の媒体回動部８０から媒体２を受け取る場合、センサ９６が媒体２を検知すると対向ローラ９２が駆動され、廃棄媒体搬送装置９０の搬送路９１に媒体２が取り込まれる。そして、センサ９５が媒体２を検知すると、対向ローラ９２の駆動が停止され、媒体２は搬送路９１内に一時保留される。一時保留状態では、両方のセンサ９５、９６が媒体２を検知して、搬送路９１内の媒体２の存在が判断される。廃棄媒体保管カセット５０に使用済み媒体２ｂを投入する場合は、センサ９５のみが媒体２を検知した状態から完全に検知しない状態になるまで、対向ローラ９２が駆動される。
【手続補正６】
【補正対象書類名】明細書
【補正対象項目名】００７２
【補正方法】変更
【補正の内容】
【００７２】
除電ブラシ９３は、廃棄媒体搬送装置９０の駆動ローラ９８から廃棄媒体保管カセット５０側であって、駆動ローラ９８の近傍に設けられていることが好ましい。その徐電ブラシ９３は、使用済み媒体２ｂの上面に接触し、使用済み媒体２ｂに帯電した静電気を除去して、使用済み媒体２ｂが廃棄媒体保管カセット５０内の壁面に張り付いたり縦になってしまうのを防ぐことができる。その結果、使用済み媒体２ｂを廃棄媒体保管カセット５０内に整然と積み重ねることができる。このように使用済み媒体２ｂが廃棄媒体保管カセット５０内に整然と積み重ねられることにより、廃棄媒体保管カセット５０内に設けられた光学式センサー（図示しない）による使用済み媒体２ｂの量の正確な検出が妨げられることはない。
【手続補正７】
【補正対象書類名】明細書
【補正対象項目名】００７９
【補正方法】変更
【補正の内容】
【００７９】
（駆動システム）
図１０は、本発明の使用済み媒体廃棄装置を備えた媒体発行装置の駆動方式の実施の形態を示す透視側面図である。この媒体発行装置１においては、本実施の形態の媒体発行装置１は、図１０に示すように、主に２つの駆動モータ（Ａ駆動モータ１４０とＢ駆動モータ１５０）により駆動される。なお、この媒体発行装置１及び駆動システムは例示であって、本発明に係る使用済み媒体廃棄装置が装着される媒体廃棄装置として限定されるものではない。
【手続補正８】
【補正対象書類名】明細書
【補正対象項目名】００８９
【補正方法】変更
【補正の内容】
【００８９】
（媒体発行方法）
次に、新規発行の動作について説明する。媒体２の新規発行は、ホッパー２０内に積層された媒体２のうち最低位の媒体２ａを押出部材２２１の爪部にて繰り出して、第２の媒体回動部６０内に搬送した後、第２の媒体回動部６０を傾斜搬送路３０と同じ角度に回動させて媒体の搬送方向を切替る。次に、第２の媒体回動部６０から傾斜搬送路３０上に配置された印字装置７０内に搬送し、印字装置７０が備える印字ヘッド７１により媒体表面に所定の情報が印字される。このときの印字ヘッド７１は、印字ヘッド駆動モータ７４により媒体表面に接触するまで印字ヘッド７１を下降し、媒体表面に接触した状態で印字する。印字が終了した後は、印字ヘッド駆動モータ７４により印字ヘッド７１を元の位置に上昇する。その後、媒体２は、傾斜搬送路３０と同じ角度に回動した状態で待機している第１の媒体回動部８０に搬送される。媒体２を受け取った第１の媒体回動部８０は、媒体２を非接触通信部１００に搬送するために水平方向になるまで回動し、その後、非接触通信部１００に搬送する。この非接触通信部１００においては、アンテナ部１０４と媒体２との間の非接触通信によって媒体２に内蔵されているＩＣに所定の情報が格納記憶され、最後に、媒体排出口１０に媒体２が送られて利用者の手に渡る。なお、必要により、非接触通信部１００による処理の前に、第１の媒体回動部８０から一旦分岐して、磁気媒体リーダライタ１２０による磁気データの記録処理が行なわれてもよい。
【手続補正９】
【補正対象書類名】明細書
【補正対象項目名】００９４
【補正方法】変更
【補正の内容】
【００９４】
１  媒体発行装置
２，２ａ  媒体
２ｂ  使用済み媒体
１０  媒体排出口
１１  シャッタ
１２  シャッタ用ソレノイド
１３  シャッタ機構
２０  ホッパー
２１  媒体繰り出し部
２２  媒体送り出し機構
２２１  押出部材
２２２  チェーン
２２３  スプロケット
２２４  駆動手段
２２５  伝動ベルト
２３  ゲート部
２４  シャッタ
２５  カセット式媒体収納容器
２６  おもり
３０  傾斜搬送路
３１，３２，３３  対向ローラ
３４  プラテンローラ
５０  廃棄媒体保管カセット（リジェクトカセット）
５１  底面
５２  センサー
５３  センサー本体
５４  開口部
５５  投入口
５７  ガイド部材
５８  平板部
５９  引き出し取っ手
５１１  ピン
５１２  第３の円形部材
５１３  第１の円形部材
５１４  第２の円形部材
５１５  廃棄媒体保管カセットの外面
５２１  係合部材
５２２  リング
５２３  対向面
５２４  凹部
５２５  ローラキャッチ
５２６  ローラ
５２７  キーパー
５２８  キーパー先端
６０  第２の媒体回動部
６１  搬送路
６２，６３  対向した搬送用のローラ
６４  回動軸
６５  回動軸用モータ
７０  印字装置
７１  印字ヘッド
７２  消去ヘッド
７３  消去ヘッド駆動モータ
７４  印字ヘッド駆動モータ
８０  第１の媒体回動部
８１  搬送路
８２，８３  対向ローラ
８４  回動軸
８５  回動軸用モータ
９０  廃棄媒体搬送装置
９１  媒体搬送路
９１２，９１３  支柱部材
９１５  上側搬送ガイド部材
９１６  媒体搬送路入口部
９１７  支持部材
９１８  掴持部材
９１９  センサー本体
９２０  ブラケット
９２１  側板
９２２  媒体搬送路入口部側の側板
９２３  バネ
９２４  連結部材
９２５  バネの固定部材
９２６  取付板
９２７  下側搬送ガイド部材
９２  加圧ローラ
９３  徐電ブラシ
９４  電磁クラッチ
９４１  軸
９４２  手動回転用のつまみ
９４３  ギア部
９５  レバー式センサー
９６，９７  センサー
９６１，９７１  センサーの出力端子
９８  駆動ローラ
１００  非接触通信部
１０１  搬送路
１０２，１０３  対向ローラ
１０４  アンテナ部
１０５  センサー
１１０  クリーニング媒体保持部
１１１  搬送路
１１２  対向ローラ
１１３  電磁クラッチ
１１４  クリーニング媒体
１２０  磁気媒体リーダライタ
１２１  搬送路
１２３  対向ローラ
１２４  電磁クラッチ
１３０  電源部
１４０  Ａ駆動モータ
１４１  プーリ
１４２  ギア
１４３，１４４  ベルト
１４５  搬送駆動軸
１５０  Ｂ駆動モータ
１５１，１５２，１５４  プーリ
１５３，１５６  ベルト
１５５  搬送駆動軸
１５７  ギア
【手続補正１０】
【補正対象書類名】図面
【補正対象項目名】図１
【補正方法】変更
【補正の内容】
【図１】
2007272453.tif 000001